(57)【要約】【課題】便器と局部洗浄装置の下面との間に形成された隙間に小便等の汚水が侵入することを防止する。【解決手段】ボウル５を備えた便器１の後端部上に局部洗浄装置２を配設する。便器１の上面におけるボウル５の上開口５ａの後縁に隣接する部分に局部洗浄装置２の少なくとも前面側を覆う覆い部１４を一体に立ち上げる。【選択図】図１
2007191900.tif 000002
【特許請求の範囲】
【請求項１】
ボウルを備えた便器の後端部上に局部洗浄装置を配設し、便器の上面におけるボウルの上開口の後縁に隣接する部分に局部洗浄装置の少なくとも前面側を覆う覆い部を一体に立ち上げて成ることを特徴とする局部洗浄装置付便器。
【請求項２】
覆い部が局部洗浄装置の内装部品を覆う装置カバーを兼用していることを特徴とする請求項１に記載の局部洗浄装置付便器。
【請求項３】
局部洗浄装置の内装部品を覆う装置カバーを、局部洗浄装置の一部を覆う覆い部と、他部を覆う着脱自在の着脱カバーで構成することを特徴とする請求項２に記載の局部洗浄装置付便器。
【請求項４】
便器の上面におけるボウルの上開口の後縁と覆い部との間の部分を前側程下方に位置するように傾斜した傾斜面とすることを特徴とする請求項１〜３のいずれかに記載の局部洗浄装置付便器。
【請求項５】
局部洗浄装置の装置カバーの両側端部の前端を便器の上面におけるボウルの上開口の後縁に隣接する部分に接合し、該接合部分を起立状態における便座の裏面において接合部分に対応する部分の下端よりも後方に位置させて成ることを特徴とする請求項１〜４のいずれかに記載の局部洗浄装置付き便器。
【発明の詳細な説明】
【技術分野】
【０００１】
本発明は便器の後端部上に局部洗浄装置を配設した局部洗浄装置付便器に関するものである。
【背景技術】
【０００２】
従来から知られている局部洗浄装置付便器は、例えば特許文献１に示すように、局部洗浄装置を便器のボウルよりも後方の後端部上に載設している。そして局部洗浄装置の前端部はボウルの上開口の後縁よりも前方に突出してあり、この突出部分に設けたボウル内に臨むノズルから水を吐出して局部を洗浄する。
【０００３】
しかし上記特許文献１に示される従来例にあっては、便器の上面と局部洗浄装置の下面の間から小便や飛散したボウル内の溜水等が侵入し汚れるという問題があった。またこの便器と局部洗浄装置との間を掃除するには便器から局部洗浄装置を取外さなければならず、掃除が非常に面倒であった。
【特許文献１】特開２００５−３０７４７２号公報
【発明の開示】
【発明が解決しようとする課題】
【０００４】
本発明は上記従来の問題点に鑑みて発明したものであって、便器と局部洗浄装置の下面との間に形成された隙間に小便等の汚水が侵入することを防止できる局部洗浄装置付便器を提供することを課題とするものである。
【課題を解決するための手段】
【０００５】
上記課題を解決するために本発明に係る局部洗浄装置付便器は、ボウル５を備えた便器１の後端部上に局部洗浄装置２を配設し、便器１の上面におけるボウル５の上開口５ａの後縁に隣接する部分に局部洗浄装置２の少なくとも前面側を覆う覆い部１４を一体に立ち上げて成ることを特徴とする。覆い部１４により後方の局部洗浄装置２側に小便等の汚水が流れることを防止でき、便器１の後端部上に配設した局部洗浄装置２並びに該局部洗浄装置２と便器１の後端部との間に汚水が侵入することを防止できる。しかもこの場合、ボウル５の上開口５ａの後縁部と覆い部１４との間には隙間が形成されないので、覆い部１４とボウル５の上開口５ａの後縁部との接続部分を容易に拭き取ることができる。
【０００６】
また請求項２は請求項１において、覆い部１４が局部洗浄装置２の内装部品を覆う装置カバー１５を兼用していることを特徴とする。これにより局部洗浄装置２の装置カバー１５の製造コストを削減できる。
【０００７】
また請求項３は請求項２において、局部洗浄装置２の内装部品を覆う装置カバー１５を、局部洗浄装置２の一部を覆う覆い部１４と、他部を覆う着脱自在の着脱カバー２５ｂで構成することを特徴とする。着脱カバー２５ｂを取外すだけで局部洗浄装置２の保守点検を行える。
【０００８】
また請求項４は請求項１〜３のいずれかにおいて、便器１の上面におけるボウル５の上開口５ａの後縁と覆い部１４との間の部分を前側程下方に位置するように傾斜した傾斜面１６とすることを特徴とする。傾斜面１６により覆い部１４の前面から流れ落ちた汚水をスムーズにボウル５内に導ける。
【０００９】
また請求項５は、請求項１〜４のいずれかにおいて、局部洗浄装置２の装置カバー１５の両側端部の前端を便器１の上面におけるボウル５の上開口５ａの後縁に隣接する部分に接合し、該接合部分Ａを起立状態における便座３の裏面において接合部分Ａに対応する部分の下端よりも後方に位置させて成ることを特徴とする。これにより便座３の裏面にかかった小便等の汚水が起立状態にある便座３の裏面を伝って落下したとしても、これを便器１の上面で受けることができ、当接部分Ａに便座３より落下した汚水が侵入することを防止できる。
【発明の効果】
【００１０】
本発明では便器の後端部上に配設した局部洗浄装置並びに局部洗浄装置と便器との間に汚水が侵入することを防止できる。
【発明を実施するための最良の形態】
【００１１】
以下、本発明を添付図面に示す実施形態に基いて説明する。図１に示す局部洗浄装置付便器は、トイレの床面上に設置される便器１と、便器１の後端部上に配設した局部洗浄装置２と、局部洗浄装置２に起倒自在に取付けた便座３及び便蓋４を備えている。
【００１２】
便器１は、上方に開口するボウル５を備えた合成樹脂製の便器本体６と、便器本体６の後方部の両側を覆う合成樹脂製の便器後カバー７とで構成されている。
【００１３】
図２に示すように便器本体６は、ボウル部８と、ボウル部８の上端部に設けたリム部９と、ボウル部８及びリム部９で構成されるボウル５の外周を覆うスカート部１０とで構成され、これらボウル部８、リム部９、スカート部１０は別体の成形品であり溶着等で接続される。
【００１４】
リム部９は便器本体６の上面部を構成する。リム部９の前部は平面視環状の嵌込部１１で構成され、嵌込部１１はボウル部８の上開口部内に嵌め込まれる。このリム部９とボウル部８とで用を足すためのボウル５を形成してあり、ボウル５の上開口５ａは嵌込部１１の中央開口により構成されている。嵌込部１１は断面で外側方に開口する略コ字状に形成され、環状の嵌込部１１の開口よりも後方の部分を除く平面視Ｕ字状の部分とボウル部８の周壁上端部とで空間１３を形成している。
【００１５】
なお図中３３は洗浄水の吐水孔、３４はボウル部の内面全体に洗浄水を供給する洗浄水流路である。なおこの吐水孔３３及び洗浄水流路３４に替えて、空間１３の下面部（即ち断面コ字状の嵌込部１１の下横片部）に水流出口を形成し、空間１３の断面略コ字状の嵌込部１１とボウル部８の周壁とで囲まれた空間に局部洗浄装置２から供給された水を流し、この水を水流出口から下方のボウル部８の内面に流出して洗浄できるようにしても良い。
【００１６】
上記便器本体６の上面部における上開口５ａよりも後方に位置する部分は、嵌込部１１の上面部を後方に延出して形成される。そしてこのように形成された便器本体６の上面におけるボウル５の上開口５ａの後縁に隣接する部分（即ちボウル５の上面において上開口５ａよりも後方に位置する部分である）から局部洗浄装置２の前面側を覆う覆い部１４を一体に立ち上げている。覆い部１４はリム部９の後端部中央から上方に向けて一体に突設してあり、その前面部１４ａはボウル５の上開口５ａよりも後方で且つリム部９の後縁よりも前方に位置し、両側面部１４ｂはリム部９の外側縁よりもやや内側に控えた位置にあり、また上面部１４ｃは前面部１４ａと両側面部１４ｂで囲まれた空所の上方を覆っている。
【００１７】
またリム部９の嵌込部１１の上面は略水平な面となっているが、便器本体６の上面においてボウル５の上開口５ａの後縁と覆い部１４との間の部分は前側程下方に位置するように傾斜した傾斜面１６となっている。傾斜面１６を形成するにあたって、リム部９の上面部の後部を左右方向の全長に亘って前側程下方に位置するように傾斜した傾斜面部１７としてあり、同時にこの傾斜面部１７と、傾斜面部１７の両側端から垂下する垂下片部１８とで後方に開口する収納部１９を形成している。なお覆い部１４の後端面はリム部９の傾斜面部１７の後端面及び垂下片部１８の後端面と面一となっている。
【００１８】
スカート部１０は後方に開口する平面視Ｕ字状に形成され、スカート部１０の後端面及び便器後カバー７の前端面は共に上側程後方に位置するように傾斜しており、スカート部１０の後端面に便器後カバー７の前端面は当接している。スカート部１０の後部と便器後カバー７の内側に形成された空間には図４に示す床面に設置したフレーム２０及びフレーム２０に固定したターントラップ装置２１を配置している。また図２のようにボウル部８の下端部からは後方に向けて排水管部２２を突設してあって、ボウル５内の溜水を排水管部２２からターントラップ装置２１を介して排水可能となっている。また図中２３は便器１の後端部両側に設けたアームレストであり、各アームレスト２３の一端部は便器後カバー７の内側においてフレーム２０に連結されている。
【００１９】
図３に示す局部洗浄装置２はフレーム２０上に取付けられ、上部が覆い部１４の後方に位置し、下部が傾斜面部１７の後方に位置する。局部洗浄装置２は、底部２５ａと、底部２５ａに設けた内装部品の上側を覆う着脱カバー２５ｂを備え、着脱カバー２５ｂは底部２５ａに対して着脱自在に取付けてある。従って着脱カバー２５ｂを便器１から取外して内装部品の保守点検を行えるようになっている。またこの場合、着脱カバー２５ｂは便器本体６や便器後カバー７と別体であるので便器１と局部洗浄装置２を個々に組み立てて形成できる。また着脱カバー２５ｂは便器後カバー７の内側の空間の上方を覆い、便器本体７の後方部に配設されたフレーム２０及びターントラップ装置２１の上方を覆っている。即ち着脱カバー２５ｂは便器１の後端部上を覆う便器カバーを兼用している。
【００２０】
また着脱カバー２５ｂは局部洗浄装置２の底部２５ａの後部上側のみを覆い、底部２５ａの前部上側は着脱カバー２５ｂによって覆われていない。この局部洗浄装置２の底部２５ａの前部は便器後カバー７の前端面上端よりも前方に突出して位置すると共に、リム部９の収納部１９に収納され、これにより局部洗浄装置２の底部２５ａの前部はその前方、両側方、上方が収納部１９と覆い部１４によって覆われる。即ち局部洗浄装置２の内装部品を覆う装置カバー１５は、装置の前面側を覆う覆い部１４と他部を覆う着脱カバー２５ｂとで構成され、覆い部１４は局部洗浄装置２の装置カバー１５の一部を兼用している。
【００２１】
局部洗浄装置２の着脱カバー２５ｂの前端は便器１の上面におけるボウル５の上開口５ａの後縁に隣接する部分に接合している。詳しくは着脱カバー２５ｂの段部２８の底面部の前端面はリム部９の傾斜面部１７の後端面に突き当たっている。また着脱カバー２５ｂのその他の前端面は覆い部１４の上面部１４ｃ及び側面部１４ｂの夫々の後端面に突き当たっている。
【００２２】
また局部洗浄装置２の底部２５ａの前端部には内装部品の一つである局部洗浄用のノズル２６を設けてあり、ノズル２６は図５のようにリム部９の嵌込部１１の後端部に形成したノズル孔２７を介してボウル５の内側に臨んでおり、ノズル２６から吐出した水により使用者の局部を洗浄できるようになっている。なおノズル２６はノズル孔２７を通してボウル５の内側に突出してあっても良いし、図５の破線で示すように使用時のみボウル５の内側に突出するものであっても良い。さらに図５のようにシャッター部材２４でノズル孔２７を開閉するようにしても良い。
【００２３】
また局部洗浄装置２の着脱カバー２５ｂの上面前端部の両側端には便座３のヒンジ部３ａ及び便蓋４のヒンジ部４ａを収納する段部２８を形成している。各段部２８の底面はリム部９の傾斜面部１７の上面と面一に連続するような後方程上側に位置する緩やかな曲面となっている。また各段部２８の側面の中央及び前端部の夫々からは外側方に向けて軸部３１、３２を突出している。軸部３２は前半部が着脱カバー２５ｂの前端面よりも前方に突出し、この前半部は覆い部１４の両側面部１４ｂの後縁に形成した半円状の切欠１２に収まっている。軸部３１、３２は便蓋４及び便座３の夫々が取付けられる取付部となるもので、軸部３１には便座３の一端部（即ち便座３を倒した時の後端部）の両側端部に形成したヒンジ部３ａを回動自在に取付けてあり、また軸部３２には便蓋４の一端部の両側端部に形成したヒンジ部４ａを回動自在に取付けてある。
【００２４】
ここで前述の着脱カバー２５ｂの前端と便器１の上面におけるボウル５の上開口５ａの後縁部に隣接する部分との接合部分Ａは、起立状態における便座３の裏面（換言すると便座３を倒した時には下面となる面）において左右方向で接合部分Ａに対応する部分の下端（即ちヒンジ部３ａの裏面の下端）よりも後方に位置するように設定してある。従ってもし便座３の裏面にかかった小便等の汚水が起立状態にある便座３の裏面を伝ってヒンジ部３ａから落下したとしても、これを下方の便器本体６のボウル５の上面後端部で受けることができ、接合部分Ａに便座３より落下した汚水が侵入することを防止できる。また本実施形態では、着脱カバー２５ｂのその他の前端面と、覆い部１４の上面部１４ｃ、側面部１４ｂ、の夫々の後端面との接合部分Ｂも、起立状態における便座３の裏面において接合部分Ａに対応する部分の下端よりも後方に位置するように設定してある。従って便座３の裏面を伝って両ヒンジ部３ａ間の後縁から落下した汚水を覆い部１４の上面部１４ｃでも受けられるようになっている。
【００２５】
そして本発明では、既述のように便器１の上面におけるボウル５の上開口５ａの後縁部に隣接する部分に局部洗浄装置２の前面側を覆う覆い部１４を一体に立ち上げたので、覆い部１４により後方の局部洗浄装置２側に小便等の汚水が流れることを防止できる。従って便器１の後端部上に配設した局部洗浄装置２並びに該局部洗浄装置２と便器１の後端部上面との間に汚水が侵入することを防止できる。しかもこの場合、便器１の上面と覆い部１４とは一体に連続しているので、便器１の上面と覆い部１４との境界部分を容易に拭き取れる。
【００２６】
さらに本実施形態では便器本体６の上面においてボウル５の上開口５ａの後縁と覆い部１４との間の部分は前側程下方に位置するように傾斜した傾斜面１６となっているので、覆い部１４の前面部１４ａで受けた汚水を傾斜面１６により前方に流してボウル５内に導くことができ、汚水が溜まり難い。なお傾斜面部１７は正面視で両端部よりも中央に行く程下方に位置するように傾斜させることも好ましく、この場合は傾斜面部１７上の汚水を一層スムーズにボウル５内に導ける。
【図面の簡単な説明】
【００２７】
【図１】本発明の実施の形態の一例を示す局部洗浄装置付便器の全体斜視図である。
【図２】同上の便器本体の斜視図である。
【図３】同上の局部洗浄装置の斜視図である。
【図４】同上の局部洗浄装置付便器の便器後カバー及び局部洗浄装置を取外した全体斜視図である。
【図５】局部洗浄装置のノズル近傍の断面図である。
【図６】同上の便器及び便蓋を取外した状態を示す分解斜視図である。
【符号の説明】
【００２８】
１  便器
２  局部洗浄装置
５  ボウル
５ａ  上開口
１４  覆い部
１６  傾斜面
２５ｂ  着脱カバー
【図１】
2007191900.tif 000003
【図２】
2007191900.tif 000004
【図３】
2007191900.tif 000005
【図４】
2007191900.tif 000006
【図５】
2007191900.tif 000007
【図６】
2007191900.tif 000008